(57)【特許請求の範囲】
【請求項１】
折りたたまれたウェブを収納するウェブ収納体と、
前記ウェブ収納体を囲んで多面体形状に形成された透明プラスチック製のカバーと、
前記カバーと前記ウェブ収納体の間に配置される中間層とを備える、ウェブ容器であって；
前記ウェブ収納体は、前記ウェブを収納する袋体であって前記ウェブを取り出すための開口部が形成された袋体と、該開口部に接続された取出し口部材とを備え；
前記カバーの一面には、前記取出し口部材が係合される開口部が形成され；
前記中間層は、平面シートから形成され、前記カバーの少なくとも隣り合う２面にまたがって配置されていることを特徴とする；
ウェブ容器。
【請求項２】
前記多面体形状が、六面体形状を有する略直方体形状であり、
前記中間層が、前記カバーの連続する３面にまたがって配置されている；
請求項１に記載のウェブ容器。
【請求項３】
前記多面体形状が、１面にカバーの面が形成されていない略直方体形状であり、
前記中間層が、前記カバーの連続する３面にまたがって配置されている；
請求項１に記載のウェブ容器。
【請求項４】
前記中間層が、前記カバーの前記開口部が形成された上面と、該上面に隣接し対向する２つの側面に配置されている；
請求項２または３に記載のウェブ容器。
【請求項５】
前記中間層がまたがって配置されている前記カバーの２面の間の稜線が、角部のない滑らかな形状に形成されている；
請求項１ないし４のいずれか１項に記載のウェブ容器。
【発明の詳細な説明】
【技術分野】
【０００１】
本発明は、ウェブ容器に関する。特に、外観に優れ、容易に製造できるウェブ容器に関する。
【背景技術】
【０００２】
ティッシュペーパーやウエットティシュが家庭用としてまた業務用として盛んに利用されており、その利用分野は益々拡大している。ティッシュペーパーは、単にティッシュとも称され、薄く柔らかい繊維シートで、難水溶性の日用品であり、柔軟性に富み素材としても柔らかいため、多様な用途で用いられている。通常、２枚一組として２枚の繊維シートの裏面を合わせ表面を外に出すことで、どちらの面も肌触り等を良くしている。以降、２枚一組のティッシュペーパーを１枚とみなす。また、ウエットティシュは不織布等の繊維シートに薬剤、化粧料等の含浸剤を含浸せしめたもので、手の汚れ落し、消毒や赤ちゃんのおしり拭き等の目的で利用されている。ティッシュペーパーやウエットティシュ等のような繊維シートをウェブと総称する。【０００３】
従来から、ティッシュペーパーやウエットティシュを折りたたんで軟質フィルムにて形成された袋体に収納し、該袋体に形成された開口から１枚ずつ取り出せるようになされ、使いやすくしたものが用いられている。該袋体は携帯には便利ではあるが、変形しやすく、かつ、卓上に置いたときに底面が平面とはならないので安定性に乏しく、外観も決してよいものではない。よって、室内で卓上に置くに適しているとはいえないものであった。【０００４】
そこで、卓上に安定して置かれるようにすると共に、外観もよくするために、ウェブを収納した袋体であるウェブ収納体を容器に入れることが行われている。該容器は、容易に変形しないように制作されるのが一般的である（例えば、特許文献１参照）。
【先行技術文献】
【特許文献】
【０００５】
【特許文献１】特開２０１１−１６８３４１
【発明の概要】
【発明が解決しようとする課題】
【０００６】
しかし、容器は、通常、プラスチックで形成され、光沢にも乏しく、外観上優れたものではない。よって、例えば応接間等の来客のある室内に置くには、あまり適したものではなかった。また、ティッシュペーパーやウエットティシュを使い終わった後にウェブ収納体を容器に詰め替える作業はユーザーにとって面倒なものである。容器ごと使い捨てにすれば、ユーザーにとっては使い勝手がよくなる。ただし、ティッシュペーパーやウエットティシュでは、コストを極力低くすることも重要である。【０００７】
そこで本発明は、コストを低く抑えつつ、容易に製造でき、しかも外観に優れた、容器にウェブ収納体を収容したウェブ容器を提供することを目的とする。
【課題を解決するための手段】
【０００８】
上記課題を解決するために、本発明の第一の態様に係るウェブ容器は、例えば図１および図２に示すように、折りたたまれたウェブ８０を収納するウェブ収納体６０と、ウェブ収納体６０を囲んで多面体形状に形成された透明プラスチック製のカバー２０と、カバー２０とウェブ収納体６０の間に配置される中間層４０とを備える、ウェブ容器１０であって；ウェブ収納体６０は、ウェブ８０を収納する袋体６２であってウェブ８０を取り出すための開口部６４が形成された袋体６２と、開口部６４に接続された取出し口部材７０とを備え、カバー２０の一面には、取出し口部材７０が係合される開口部２６が形成され、中間層４０は、平面シートから形成され、カバー２０の少なくとも隣り合う２面２２ａ・２２ｂにまたがって配置されていることを特徴とする。なお、多面体形状には、曲面が含まれる形状も含む。また、多面体形状では、２面の間の稜線が角張らずに滑らかに形成される場合も含む。【０００９】
このように構成すると、外観上は透明プラスチック材のカバーを通して中間層が見えて美観に優れ、かつ、中間層がカバーの少なくとも２面にまたがるので面の稜線部分においても透明プラスチック材からなるカバーを通して中間層が見えることになり、優れた外観を得ることができる。しかも、そのようなウェブ容器が容易に製造できる。【００１０】
本発明の第二の態様に係るウェブ容器は、第一の態様に係るウェブ容器において、例えば図１に示すように、多面体形状が略直方体形状であり、中間層４０が、カバー２０の連続する３面２２ｂ・２２ａ・２２ｄにまたがって配置されている。なお、略直方体形状とは、概して六面体形状を有していればよい。面の間の稜線は、滑らかに形成されてもよい。また、各隣接する面が直角に交わらなくてもよい。例えば図１に示すように、略直方体形状には、底面（図の下方）に向けて徐々に広がる形状も含まれる。また、略直方体形状では、１面にはカバーの面が形成されていない形状を含む。【００１１】
このように構成すると、透明プラスチック材からなるカバーの連続する３面を通して中間層が見えるのでさらに美観に優れ、略直方体形状であるので、持ち易く、かつ、箱などに収容し易い、ウェブ容器となる。さらにほぼ直方体形状になされたウェブ収納体を収容し易い。【００１２】
本発明の第三の態様に係るウェブ容器は、第二の態様に係るウェブ容器において、例えば図１に示すように、中間層４０が、カバー２０の開口部２６が形成された上面２２ａと、上面２２ａに隣接し対向する２つの側面２２ｂ・２２ｄに配置されている。【００１３】
このように構成すると、ウェブを取り出すためにウェブ容器を開口部側から見ると、正面および両側面で透明プラスチック材からなるカバーを通して中間層が見える。よって、外観のさらに優れたウェブ容器となる。【００１４】
本発明の第四の態様に係るウェブ容器は、第一ないし第三のいずれかの態様に係るウェブ容器において、例えば図１に示すように、中間層４０がまたがって配置されているカバー２０の２面２２ａ・２２ｂの間の稜線２４ａｂが、角部のない滑らかな形状に形成されている。【００１５】
このように構成すると、稜線が角張っていないので、稜線においても外部から中間層が見える。よって、外観のさらに優れたウェブ容器となる。
【発明の効果】
【００１６】
本発明によれば、ウェブ容器は、透明プラスチック材からなるカバーとウェブ収納体との間に配置された中間層が、カバーの少なくとも隣り合う２面にまたがって配置されていることにより、外観上は透明プラスチック材のカバーを通して中間層が見えて美観に優れ、かつ、中間層がカバーの少なくとも２面にまたがるので面の稜線部分においても透明プラスチック材からなるカバーを通して中間層が見えることになり、優れた外観を得ることができる。しかも、そのようなウェブ容器が、容易に製造できる。さらなる効果として、複雑な形状のカバーや袋体に商品表示等の印刷をすることを省略し、中間層にデザインや情報を印刷することにより、例えば複数のデザインのウェブ容器を製造することが可能となる。ウェブ収納体やカバーを無印で大量生産し、中間層の印刷を変更するだけで済むので、デザインの変更も極めて容易である。
【図面の簡単な説明】
【００１７】
【図１】ウェブ容器の構成を説明する斜視図である。内部が見えるように一部を切欠いて図示している。
【図２】図１とは別のウェブ容器の構成を説明する断面図である。
【図３】カバーの斜視図である。
【図４】結合部材を示す斜視図で、（ａ）は開閉蓋を閉じた状態、（ｂ）は開閉蓋を開いた状態を示す
【図５】カバーの変形例を示す斜視図である。
【図６】中間層の展開図である。
【図７】図６とは別の中間層の展開図である。
【図８】ウェブ容器の外観を説明するための部分断面図であり、（ａ）は本発明によるウェブ容器に光が当たった場合、（ｂ）は従来のウェブ容器に光が当たった場合の光の反射状態を示す。
【図９】カバーの２面にまたがる中間層を示すウェブ容器の部分断面図である。
【発明を実施するための形態】
【００１８】
以下、図面を参照して、本発明の実施の形態について説明する。なお、各図において、互いに同一又は相当する部品には同一符号を付し、重複した説明は省略する。
【００１９】
図１は、ウェブ容器１０の構成を説明する斜視図である。内部が見えるように一部を切欠いて図示している。中間層４０に描かれているデザインである星印は、カバー２０を通して見えることになる。
【００２０】
ウェブ容器１０は、ウェブ収納体６０をカバー２０の内部に収容している。すなわち、カバー２０がウェブ収納体６０を囲んでいる。なお、カバー２０がウェブ収納体６０を囲んでいるとは、カバー２０がウェブ収納体６０の全方向を完全に覆っていない場合も含む。カバー２０の内側に中間層４０が配置されている。そして、カバー２０の開口部２６には、結合部材３２が固定されている。ウェブ収納体６０は、袋体６２内に折り畳まれた多数のウェブ８０を収納している。なお、ウェブ８０は、一つながりの長尺のものが連続して折り畳み状またはロール状に積層されて、所定間隔毎に分断部が形成され、分断部で分断して使用するもの等でもよい。ウェブ容器１０の底面（図１中の下面）には収容されたウェブ収納体６０がカバー２０から飛び出すことを防止するために底蓋（不図示）が取り付けられてもよい。底蓋は、テープシール等でもよい。
【００２１】
図２は、ウェブ容器１０の断面図である。図２では、開閉蓋３４を開いた状態を破線で示す。なお、図２のウェブ容器１０では、カバー２０の側面２２ｃ・２２ｅの内側にも中間層４０が配置され、かつ、稜線２４ａｃ・２４ａｅが滑らかに形成されている点で、図１のウェブ容器１０と異なる。
【００２２】
ここで図３をも参照して、カバー２０について説明する。図３は、カバー２０の斜視図である。図３は、結合部材３２と開閉蓋３４がカバー２０に固定された状態を示す。カバー２０は、ポリエチレンテレフタラート（ＰＥＴ）、ポリカーボネート（ＰＣ）、ポリプロピレン（ＰＰ）、ポリスチレン（ＰＳ）等の透明プラスチック材で形成される。ここで、透明プラスチック材は、カバー２０を通して内部が見えればよく、内部がかすんで見えるような半透明なプラスチック材をも含む。
【００２３】
カバー２０は、略直方体形状に形成されている。カバー２０は、図３中で上部に示される上面２２ａ、上面２２ａと隣接する４つの側面２２ｂ・２２ｃ・２２ｄ・２２ｅとを有する。なお、上面２２ａと相対する図３中の下部は、面が形成されておらず、開放されている。そして、上面２２ａと隣接する４つの側面２２ｂ・２２ｃ・２２ｄ・２２ｅとの間の稜線２４ａｂ・２４ａｃ・２４ａｄ・２４ａｅおよび４つの側面２２ｂ・２２ｃ・２２ｄ・２２ｅの間の稜線２４ｂｃ・２４ｃｄ・２４ｄｅ・２４ｂｅは角部や凹凸等のない滑らかな形状に形成されている。ここで、滑らかな形状とは、角部や凹凸がなく、典型的には丸みのつけられた形状で、その曲率半径は１〜５０ｍｍ程度、好ましくは２〜２０ｍｍ程度である。曲率半径が小さすぎると中間層４０がカバー２０に沿って配置されにくくなり、しわを生じやすくなる。逆に曲率半径が大きすぎるとウェブ収納体６０を収容しにくくなる。なお、滑らかな形状は、稜線の両側の面に接する部分で曲率半径が大きくなる緩和曲線形状等でもよく、その曲率半径の最小値が上述の範囲であることが好ましい。また、４つの側面２２ｂ・２２ｃ・２２ｄ・２２ｅは上面２２ａから離れるにつれ徐々に広がるように形成されている。このように、略直方体形状は、１面にはカバー２０の面が形成されていない形状を含む。また、略直方体形状は、面の間の稜線が滑らかに形成される形状を含む。さらに、略直方体形状は、隣り合う面が直交しない形状をも含む。なお、面には、上部にある開口部２６以外の開口部が形成されてもよい。また、中間層４０やウェブ収納体６０を挿入する開口（不図示）等が、カバーの底面ではなく側面に形成されてもよい。
【００２４】
図１に示すように、ウェブ容器１０の上面には、ウェブを取り出すための開閉蓋３４が配置される。図４は、結合部材３２と一体に形成された開閉蓋３４を示す斜視図で、（ａ）は開閉蓋３４を閉じた状態、（ｂ）は開閉蓋３４を開いた状態を示す。
【００２５】
結合部材３２は、取出し口部材７０と結合してカバー２０を挟持して、カバー２０を固定する部材である。後述するように、結合部材３２がカバー２０を挟んでウェブ収納体６０の取出し口部材７０と結合することにより、ウェブ収納体をカバー２０の開口部２６に吊り下げた状態に固定する。
【００２６】
結合部材３２は、開閉蓋３４の開閉時に大きな力が作用するので、剛性を高くする必要がある。また、結合部材３２と開閉蓋３４との継手部分が弾性変形する必要がある。よって、例えばポリエチレン（ＰＥ）、ポリプロピレン（ＰＰ）等のプラスチック材料を用いて、比較的厚肉に形成される。
【００２７】
次に、図２を参照して、ウェブ収納体６０について説明する。ウェブ収納体６０にはウェブ８０が折りたたまれて軟質フィルム等にて形成された袋体６２に収納されている。ウェブ８０は、不織布等のような繊維から形成されたシート状のものである。ティッシュペーパーやウェットティッシュが代表的であるが、これらには限定されない。
【００２８】
ウェブ収納体６０は、内部に方形のウェブ８０が折りたたまれて収納されるので、直方体状の形状をしているのが一般的である。しかし、袋体６２の製造上、袋体６２にウェブ８０を収納した上で圧着するための張り出しが、両側に形成されることが多い。袋体６２は、これには限られず、どのような構造でもよい。
【００２９】
袋体６２には、ウェブ８０を袋体６２から取り出すための開口部６４が形成されている。そして、ウェブ収納体６０の開口部６４には、取出し口部材７０が配置される。
【００３０】
取出し口部材７０の外周７１が開口部６４の周囲の袋体６２に密着される。外周７１は、袋体６２に溶着されても、接着されてもよい。取出し口部材７０を袋体６２の開口部６４に接続できれば、どのような方法を用いてもよい。なお、図２では袋体６２は、取出し口部材７０の外周７１の上面に接着されているが、外周７１の下面に接着しても差し支えない。
【００３１】
取出し口部材７０の中央部は、ウェブ８０を取り出す経路になっている。最下部には抵抗付与板７８があり、複数のウェブ８０が繋がったまま取り出されることを防止するために抵抗を与える小孔が形成されている。抵抗付与板７８の上部はポップアップしたウェブの先端を収納する空間である。ウェブ８０の先端は抵抗付与板７８の小孔に保持されているので次にウェブ８０の先端を摘まむことが容易になる。
【００３２】
取出し口部材７０の中央最上部、すなわちウェブ先端の収納空間の上部は、筒状の開閉蓋受け部７６があり、その外周である開閉蓋受け部７６に形成された凹溝が開閉蓋３４の閉止用部材３８の凸条と嵌合する。かかる嵌合機構によって使用後にウェブ容器１０を密封し、ウェブ８０が乾燥することを好適に防止する。また、図４では開閉蓋３４のヒンジ部は結合部材３２と一体に形成されているが、開閉蓋３４は後述の取出し口部材７０と一体に形成することも、全く独立の部品とすることも可能である。なお、ウェブ収納体６０の密閉は他の構造、例えば粘着シールによっても可能である。開閉蓋受け部７６と抵抗付与板７８の中間に、タブ付きのシール（不図示）が配置し、ウェブ容器１０の使用前には該シールでウェブ収納体６０の内部が密封されるようにしてもよい。なお、シールは、使用時にタブを引っ張ることにより、簡単に取り除けるようにされる。
【００３３】
取出し口部材７０の上部外縁７４には、凸条部が形成され、凸条部が結合部材３２の内周に形成された凹溝と嵌合する。このように、取出し口部材７０は、結合部材３２と係合し、カバー２０の開口部２６を挟んで保持する。
【００３４】
したがって、ウェブ収納体６０は、取出し口部材７０を介して、カバー２０から吊り下げられる。よって、ウェブ８０の残量が少なくなって袋体６２が潰れるようになってきても、ウェブ８０を袋体６２から取り出す開口部６４はカバー２０の開口部２６から離れない。そのため、常に開口部２６からウェブ８０を取り出し易い。なお、図２では、取出し口部材７０とカバー２０の間に大きな間隙があるが、図を見易くするためである。間隙は無くてもよいし、小さな間隙があってもよい。
【００３５】
取出し口部材７０は、例えばポリエチレン（ＰＥ）、ポリプロピレン（ＰＰ）等のプラスチック材料を用いて形成される。なお、取出し口部材７０の構成は、図２に示す構成には限定されず、他の構成でもよい。例えば、結合部材３２と結合するのではなく、カバー２０の開口部２６に嵌合することにより、あるいは、カバー２０に接着されることにより、カバー２０の開口部２６と係合してもよい。また、開閉蓋３４が継手部分を介して取出し口部材７０に接続されてもよい。
【００３６】
図１ないし図３では、カバー２０を略直方体形状として説明した。しかし、カバー２０の形状は、略直方体形状には限定されない。カバー２０の形状は多面体であればよい。多面体の面には、曲面が含まれてもよい。例えば図５に示すように、図３に示した側面２２ｂ、上面２２ａ、側面２２ｄの３つの面において、上面２２ａが曲面で形成され、側面２２ｂ、上面２２ａ、側面２２ｄが１つの面２２ｇであるかまぼこ状に形成されてもよい。その場合、結合部材３２の厚さを調整して曲面２２ｇに沿わせても、結合部材３２を曲面２２ｇに沿った曲面状に形成してもよい。結合部材３２の形状に合わせて、取出し口部材７０を形成する。そして、結合部材３２と取出し口部材７０とでカバー２０の上面２２ａを挟んで結合する。中間層４０は、たとえば面２２ｇに対応する部分にのみ配置されてもよい。このように、中間層４０はカバー２０の全面に配置されなくてもよい。また、カバー２０は、例えば、図３に示す側面２２ｂおよび側面２２ｄが、それぞれ２つの面で形成された略八面体形状等に形成されてもよい。
【００３７】
図１では、カバー２０の上面２２ａを囲む稜線２４ａｂ・２４ａｃ・２４ａｄ・２４ａｅの内、稜線２４ａｂ・２４ａｄは滑らかに形成され、稜線２４ａｃ・２４ａｅは角張って形成される。このように、稜線の一部２２ａｂ・２２ａｄだけが滑らかに形成されてもよい。図１に示すように、側面２２ｃ・２２ｅを囲む稜線２４ａｃ・２４ａｅ・２４ｂｃ（図３参照）・２４ｃｄ・２４ａｅ・２４ｂｅを角張らせることにより、側面２２ｃ・２２ｅを下にして直立させたときの安定性が向上する。すなわち、カバー２６の開口部２６を横向きにした場合にも、ウェブ容器１０が使い易くなる。
【００３８】
次に、図６を参照して、中間層４０について説明する。図６は、カバー２０内に配置される前の中間層４０の展開図であり、破線はカバー２０内に配置する時に曲がる箇所を示す。中間層４０は、平面状に形成されている。なおここでいう平面とは、カバー２０に挿入する前には平面であることをいい、素材としてロールに巻かれ、カバー２０に入れられた後は立体的な形状となるものを含む。素材は、例えば無延伸ポリプロピレン（ＣＰＰ）、ポリエチレン（ＰＥ）、ポリエチレンテレフタラート（ＰＥＴ）等の透明プラスチックフィルムに印刷をしてもよいし、紙でもよく、特に限定はされない。例えば、０．０５ｍｍ〜０．２ｍｍ程度の透明プラスチックフィルムを用いる。透明プラスチックフィルムに印刷をする場合に、カバー２０側に印刷されても、その裏側に印刷されてもよい。図６では、星印がデザインとして描かれている。
【００３９】
１枚の平面状に構成されている中間層４０は、カバー２０の上面２２ａに対応する部分４２ａの周囲に、４つの側面２２ｂ・２２ｃ・２２ｄ・２２ｅに対応する部分４２ｂ・４２ｃ・４２ｄ・４２ｅが形成される。ウェブ８０をウェブ収納体６０から取り出すために、カバー２０の開口部２６に対応する箇所には開口４６が形成される。開口４６はカバー２０の開口部２６より大きく形成されても、同じ大きさに形成されてもよい。開口４６が開口部２６より大きく形成されることにより、中間層４０がカバー２０と取出し口部材７０に挟まれなくなる。図１に示すウェブ容器１０は、カバー２０の側面２２ｃに沿う中間層を省略しているが、図６に示す中間層４０は、図１に示すカバー２０に適した形状をしている。すなわち、カバー２０の上面２２ａに対応する部分４２ａと２つの側面２２ｂ・２２ｄに対応する部分４２ｂ・４２ｄとの間では、滑らかな形状の稜線４２ａｂ・４２ａｄに合わせて、大きな曲率半径で曲がる。その曲がる部分を複数の破線で示している。また、２つの側面２２ｃ・２２ｅに対応する部分４２ｃ・４２ｅでは、稜線４２ａｂ・４２ａｄに対応する外縁を大きな曲率半径に合う曲線状に形成している。そして、部分４２ａと部分４２ｃおよび部分４２ｅとの間では、角張った稜線２４ａｃ・２４ａｅに沿って曲げ易くなっている。図６に示す中間層４０を用いると、図１に示すカバー２０の５面に隙間なく中間層４０を配置できる。
【００４０】
図７は、図６と同様のカバー２０内に配置される前の中間層４０の展開図である。図７でも、星印がデザインとして描かれている。図７に示す中間層４０は、図２に示すウェブ容器１０に適した形状をしている。側面２２ｂ・２２ｄに対応する中間層４０の部分４２ｂ・４２ｄには、部分４２ｃ・４２ｅと重なる張り出しが設けられ、カバー２０内に配置されたときに中間層４０の隙間ができることを防止する。なお、張り出し部は、いずれの部分に設けてもよい。あるいは、張り出し部を設けなくてもよい。
【００４１】
なお、中間層４０は、図６あるいは図７に示すものには限定されず、カバー２０の形状に応じた形状に形成される。また、中間層４０は、２枚以上の中間層部分を組み合わせて用いてもよい。しかし、図１に示すウェブ容器１０の場合には図６に示すような形状に、図２に示すウェブ容器１０の場合には図７に示すような形状に形成することにより、容易に中間層４０をカバー２０内の所定の位置に配置できる。すなわち、中間層４０をカバー２０の面が形成されていない下部に配置した後に、中間層４０をカバー２０内に押し込むようにウェブ収納体６０をカバー２０内に収容する。中間層４０を、カバー２０とウェブ収納体６０とで挟むことにより所定の位置に配置することができる。中間層４０をカバー２０またはウェブ収納体６０に接着してもよい。また、取出し口部材７０と結合部材３２あるいは取出し口部材７０とカバー２０で挟み付けて、所定の位置に配置してもよい。なお、図１に示すウェブ容器１０では、図６に示す中間層４０の部分４２ｃ・４２ｅを備えていない中間層を用いている。すなわち、側面２２ｃ・２２ｅの内側には、中間層４０が配置されていない。このようにしても、ウェブ８０を取り出す開口部２６側（図１の上方）から見ると、美観に優れた面のみが見える。さらに、中間層４０も１枚の矩形シートから形成できて、製造が容易になる。
【００４２】
次に図８を参照して、ウェブ容器１０の外観について説明する。図８は、ウェブ容器１０の外観を説明するための部分断面図であり、（ａ）は本発明によるウェブ容器１０に光が当たった場合の光の反射状態を示し、（ｂ）は従来のウェブ容器に光が当たった場合の光の反射状態を示す。なお、図８（ａ）ではカバー２０と中間層４０との間に大きな間隙があるが、図を見易くするためである。間隙は無くてもよいし、小さな間隙があってもよい。図８（ｂ）に示す従来のウェブ容器では、光が当たっても表面での反射光が見えるだけである。それに対し、図８（ａ）に示すように、本発明によるウェブ容器１０では、カバー２０が透明であるので、光はカバー２０に進入する。カバー２０の壁内に進入した光の一部は裏面で反射し、残りは透過する。カバー２０を透過した光は、中間層４０で反射される。中間層４０で反射された光は、カバー２０を透過し、あるいは反射を繰り返してから最終的にカバー２０を透過する。ウェブ容器１０では、中間層４０で反射した光はカバー２０の表裏両面で反射する。いろいろな面で反射した反射光が混じることにより、観察者にとって穏やかな画像となって見え、優れた美観が得られる。その結果、外観の優れたウェブ容器１０となる。
【００４３】
ここで、中間層４０が、透明フィルムにアルミ蒸着で着色した場合のように、金属光沢を有していると、印刷面が観察者の目に届くまでの間により多くのより強い反射を繰り返すことにより、穏やかで綺麗な光沢を有して見える。その結果、美観的に極めて優れたものとなる。
【００４４】
図９に示すように、中間層４０はカバー２０の少なくとも隣り合う２面にまたがるので、２面の稜線においても観察者にとって穏やかな画像となって見える。稜線を滑らかに形成すると、中間層４０が稜線に沿って配置され易くなる。さらに中間層４０にしわができにくくなるので、好ましい。
【００４５】
なお、中間層４０が強い力でカバー２０に押し付けられて密着すると、その部分の光の反射率が変化する。その場合、その部分だけが周囲と異なって見えるので、好ましくない。また、液等がカバー２０と中間層４０の間に付着しても、その部分だけ反射率が変化して外観に影響を及ぼすので、好ましくない。
【００４６】
また、透明なカバー２０の厚みを変化させると、そのレンズ効果によって、中間層４０がより複雑に立体的に見える。例えば、カバー２０の内面（中間層４０が配置される側）を波打つように形成したり、凹凸を付けたりするとよい。
【００４７】
金属光沢を得るには、従来のウェブ容器では、例えば容器ごとアルミ蒸着をするので、大きな蒸着装置が必要になり、多大な費用を要していた。それに対し、ウェブ容器１０では、平面の中間層４０だけをアルミ蒸着をすればよい。よって、大幅なコストダウンを達成することができる。さらに、中間層４０を交換するだけでウェブ容器１０または容器入りウェブ製品の外観デザインを変更することができ、実用的に有益である。
【００４８】
また、カバー２０に結合部材３２を装着すると、カバー２０には開閉蓋３４の開閉に伴う大きな力が局所的に作用することがなくなる。したがって、カバー２０を結合部材３２よりも薄く形成することができる。例えば、０．２〜２ｍｍの肉厚、より好ましくは０．３〜１ｍｍの肉厚とする。よって、カバー２０の製作コストも削減できると共に、ウェブ容器１０を軽量化できる。
【００４９】
本発明のウェブ容器１０は、外観に優れ、容易に製造できてコストが低く抑えられるので、使い捨てとして使用するのにも適する。中間層４０やウェブ収納体６０を挿入する開口をシートテープ等で塞いでもよい。中間層４０やウェブ収納体６０を挿入する開口を塞ぐことにより、ウェブ収納体６０に物が当たり、袋体６２が破損するのを防止できる。また、中間層４０やウェブ収納体６０を挿入する開口を開放したままにしておいてもよい。
【００５０】
なお、本発明は、上記に記載されている実施の形態及び態様に限定されるものではなく、特許請求の範囲に記載された発明の概念に含まれる全ての態様を含むものである。
【符号の説明】
【００５１】
１０  ウェブ容器
２０  カバー
２２  （カバーの）面
２４  （カバーの面の間の）稜線
２６  （カバーの）開口部
３２  結合部材
３４  開閉蓋
３８  （開閉蓋の）閉止用部材
４０  中間層
４２  中間層の部分
４６  中間層の開口部
６０  ウェブ収納体
６２  袋体
６４  袋体の開口部
７０  取出し口部材
７１  取出し口部材の外周
７２  取出し口部材の開口板
７４  取出し口部材の上部外縁
７６  取出し口部材の開閉蓋受け部
７８  抵抗付与板
８０  ウェブ
【図１】
0005883947.tif 000002
【図２】
0005883947.tif 000003
【図３】
0005883947.tif 000004
【図４】
0005883947.tif 000005
【図５】
0005883947.tif 000006
【図６】
0005883947.tif 000007
【図７】
0005883947.tif 000008
【図８】
0005883947.tif 000009
【図９】
0005883947.tif 000010